(57)【要約】【課題】複数の燃焼装置の異常を１つの燃焼異常検出装置で検出し燃焼を改善させる制御方法において、簡単に異常側の燃焼装置を特定し、燃焼改善制御を行うことを目的とする。【解決手段】複数の燃焼装置１、６の排気筒５、１０を集合した排気経路に燃焼異常検出装置１１を設け、前記複数の燃焼装置１、６が同時燃焼作動状態において、前記燃焼異常検出装置１１の検出濃度が予め設定した判定値を越えた場合、前記複数の燃焼装置１、６のうち予め定めた燃焼装置側を最初に異常と判定し、予め定めた側の給気ファンの回転数を燃焼改善側に調整することにより、燃焼を改善させるようにしたものである。【選択図】  図１
2005009744.tif 000002
【特許請求の範囲】
【請求項１】
燃焼バーナーと、この燃焼バーナに燃料及び燃焼用空気を供給する燃料供給比例弁及び給気ファンと、前記燃焼バーナーの燃焼熱と熱交換して出湯する熱交換器で構成した複数の燃焼装置と、各燃焼装置の排気筒を集合して形成した排気経路に設けた燃焼排気中の特定成分の濃度を検出する燃焼異常検出装置と、前記燃焼バーナを制御する制御部と、給気ファンの空気量を可変させる回転数制御装置とを備え、前記複数の燃焼装置が同時燃焼作動状態において、前記燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより、燃焼を改善させるようにした燃焼装置。
【請求項２】
複数の燃焼装置が同時燃焼作動状態において、燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより燃焼の改善を行い、それでも燃焼異常検出装置の検出濃度が予め設定した判定値を下回らない場合には、別の燃焼装置側の給気ファンの回転数を燃焼改善側に調整し、燃焼を改善させるようにした請求項１記載の燃焼装置。
【請求項３】
複数の燃焼装置が同時燃焼作動状態において、燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより燃焼の改善を行い、その後、燃焼異常検出装置の検出量が高くなった場合は、前記燃焼改善を行った側の給気ファンの回転数を元の状態に戻し、別の燃焼装置側の給気ファンの回転数を燃焼改善側に調整し、燃焼を改善させるようにした請求項１記載の燃焼装置。
【請求項４】
複数の燃焼装置が同時燃焼作動状態において、燃焼異常検出装置の検出濃度が予め設定した判定値を越えた場合、前記複数の燃焼装置のうち予め定めた燃焼装置側の燃焼量を最小燃焼量側へ可変させ、このときの燃焼異常検出装置の検出濃度の増減状況から異常側を特定し、異常側の給気ファンの回転数を燃焼改善側に調整することにより燃焼の改善を行うようにした請求項１記載の燃焼装置。
【請求項５】
燃焼改善手段として、燃料供給比例弁を制御することにより燃焼を改善するようにした請求項１〜４のいずれか１項記載の燃焼装置。
【請求項６】
同時燃焼作動状態が解除され単独燃焼状態に移行した場合、燃焼改善側に調整した給気ファンの回転数または燃料供給比例弁の値を元の状態に戻すようにした請求項１〜５のいずれか１項記載の燃焼装置。
【発明の詳細な説明】
【０００１】
【発明の属する技術分野】
本発明は、複数の燃焼装置の同時燃焼作動状態における異常燃焼を改善する制御装置において、特に、燃焼排気中の特定成分の濃度を検出する燃焼異常検出装置を用い異常燃焼状態を検出する燃焼装置に関するものである。
【０００２】
【従来の技術】
従来、第１および第２の燃焼部からの排気が排気筒へと集合されて排気される複合燃焼装置の同時燃焼作動状態において、燃焼排気中の特定成分の濃度を検出するひとつの燃焼異常検出装置で検出濃度があらかじめ設定した判定値を越えた場合、燃焼作動が単独で実行されている状態で燃焼状態を改善させる改善ステップと燃焼改善ステップがおこなわれた回数を記憶するカウンターを設けて、同時燃焼作動状態にある場合に検出濃度が予め設定した判定値を越えた場合、カウント数の大なる側の燃焼状態を異常と判定し改善させていた（例えば、特許文献１参照）。
【０００３】
また、別の従来例として、燃焼異常検出装置の検出濃度が異常値となった場合、追い焚き用の熱交換回路の燃焼を強制的に停止させる、もしくは燃焼状態を一時的に変更させ、停止後もしくは変更後のＣＯ濃度が低減するか異常値が継続するかで、どちらの燃焼が異常であるかを判別し、燃焼改善させていた（例えば、特許文献２参照）。
【０００４】
【特許文献１】
特開２０００−３１４５２５号公報
【特許文献２】
特開２０００−２７４６７９号公報
【０００５】
【発明が解決しようとする課題】
しかしながら上記従来例においては、第１および第２の燃焼部からの排気が排気筒へと集合されて排気される複合燃焼装置の同時燃焼作動状態において、ひとつの燃焼異常検出装置で第１および第２の燃焼部の異常を検知させ、かつ第１および第２の燃焼部の異常をどちらか一方と判別するために、複雑な制御を行う必要があり、燃焼を改善させる側がどちらを改善すればよいか判別するのが困難であるという課題を有していた。
【０００６】
本発明は上記課題を解決するもので、複数の燃焼装置の異常を１つの燃焼異常検出装置で検出し燃焼を改善させる制御方法において、簡単に異常側の燃焼装置を特定し、燃焼改善制御を行うことで、安定した燃焼を確保することを目的とする。
【０００７】
【課題を解決するための手段】
上記目的を達成するため本発明の燃焼装置は、複数の燃焼装置の排気筒を集合した排気経路に燃焼異常検出装置を設け、前記複数の燃焼装置が同時燃焼作動状態において、前記燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより、燃焼を改善させるようにしたものである。
【０００８】
上記発明によれば、集合排気経路に設けた１つの燃焼異常検出装置で複数の燃焼異常を検出することができ、異常時は、まず予め定めた側の燃焼装置の燃焼改善制御を行い、その結果に基づいて異常側の燃焼装置を特定するようにしているため、異常を特定するために複雑な制御を行う必要がなく、簡単に燃焼改善を行うことができる。
【０００９】
【発明の実施の形態】
請求項１記載の発明は、燃焼バーナーと、この燃焼バーナに燃料及び燃焼用空気を供給する燃料供給比例弁及び給気ファンと、前記燃焼バーナーの燃焼熱と熱交換して出湯する熱交換器で構成した複数の燃焼装置と、各燃焼装置の排気筒を集合して形成した排気経路に設けた燃焼排気中の特定成分の濃度を検出する燃焼異常検出装置と、前記燃焼バーナを制御する制御部と、給気ファンの空気量を可変させる回転数制御装置とを備え、前記複数の燃焼装置が同時燃焼作動状態において、前記燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより、燃焼を改善させるようにしたことを特徴とするもので、集合排気経路に設けた１つの燃焼異常検出装置で複数の燃焼異常を検出することができ、異常時は、まず予め定めた側の燃焼装置の燃焼改善制御を行い、その結果に基づいて異常側の燃焼装置を特定するようにしているため、異常を特定するために複雑な制御を行う必要がなく、簡単に燃焼改善を行うことができる。
【００１０】
請求項２記載の発明は、複数の燃焼装置が同時燃焼作動状態において、燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより燃焼の改善を行い、それでも燃焼異常検出装置の検出濃度が予め設定した判定値を下回らない場合には、別の燃焼装置側の給気ファンの回転数を燃焼改善側に調整し、燃焼を改善させるようにしたことを特徴とするものである。
【００１１】
請求項３記載の発明は、複数の燃焼装置が同時燃焼作動状態において、燃焼異常検出装置の検出濃度が予め設定した判定値を越えた場合、前記複数の燃焼装置のうち予め定めた燃焼装置側を最初に異常と判定し、予め定めた側の給気ファンの回転数を燃焼改善側に調整することにより燃焼の改善を行い、その後、燃焼異常検出装置の検出量が高くなった場合は、前記燃焼改善を行った側の給気ファンの回転数を元の状態に戻し、別の燃焼装置側の給気ファンの回転数を燃焼改善側に調整し、燃焼を改善させるようにしたことを特徴とするものであり、上記請求項１と同様の効果を有するとともに、さらに精度よく燃焼改善を行うことができる。
【００１２】
請求項４記載の発明は、複数の燃焼装置が同時燃焼作動状態において、燃焼異常検出装置の検出濃度が予め設定した判定値を越えた場合、前記複数の燃焼装置のうち予め定めた燃焼装置側の燃焼量を最小燃焼量側へ可変させ、このときの燃焼異常検出装置の検出濃度の増減状況から異常側を特定し、異常側の給気ファンの回転数を燃焼改善側に調整することにより燃焼の改善を行うようにしたことを特徴とするものであり、上記請求項１と同様の効果を有するとともに、改善された側が正常であり、改善されなかった側が異常であるのかという判断を確実にできる。
【００１３】
請求項５記載の発明は、燃焼改善手段として、燃料供給比例弁を制御することにより燃焼を改善するようにしたことを特徴とするものであり、燃焼を改善させる方法が、燃料の量を比例的に増減することにより、給気ファンに負担をかけることなく、危険な燃焼状態であっても、燃料の量を下げていくことにより、より安全な燃焼状態で燃焼させ改善を行うことができる。
【００１４】
請求項６記載の発明は、同時燃焼作動状態が解除され単独燃焼状態に移行した場合、燃焼改善側に調整した給気ファンの回転数または燃料供給比例弁の値を元の状態に戻すようにしたことを特徴とするものであり、同時燃焼作動状態の場合は判別が誤検知して、逆の燃焼部を異常と判断とした場合、もしくは異常燃焼と誤検知し給気ファンが増加を繰り返した状態において、給気ファンの回転数または、燃料の量が適切でなく燃焼する可能性があり、その状態で繰り返し燃焼作動すると危険であるため、確実に判定できる単独燃焼時のみ異常判断の確定があり、同時燃焼作動状態においては改善はするが、単独燃焼状態に移行された場合、給気ファンの回転数または燃料が供給量可能に変更できる燃料供給比例弁により燃料の量を元の状態にリセットすることにより、さらに安全に動作させることができる。
【００１５】
【実施例】
以下、本発明の実施例について図面を用いて説明する。
【００１６】
（実施例１）
図１に示す実施例１は、第１の燃焼装置を給湯器とし、他方の第２の燃焼装置を温水暖房器としたものであり、前者の最大燃焼量は４５０００ｋｃａｌ／ｈとし、後者の最大燃焼量は１５０００ｋｃａｌ／ｈとしたものである。ここで第１の燃焼装置の給湯器としては、入水された水をお湯に出湯する給湯熱交換器４を上部に配し、その下方に燃料が供給量可能に変更できる給湯燃料供給比例弁３、上記給湯燃料供給比例弁３からの燃料で燃焼する給湯燃焼バーナー１と、この給湯燃焼バーナー１に対して燃焼用空気を供給量変更可能にする給湯給気ファン２が装備されている。尚、燃焼量は、入水温、入水流量、設定温度によって設定され比例制御をおこなうようになっている。
【００１７】
また第２の燃焼装置の温水暖房器においても同様の部品が装備されており、暖房熱交換器９を上部に配し、その下方に燃料が供給量可能に変更できる暖房燃料供給比例弁８、上記暖房燃料供給比例弁８からの燃料で燃焼する暖房燃焼バーナー６と、この暖房燃焼バーナー６に対して燃焼用空気を供給量変更可能にする暖房給気ファン７が装備されている。上記暖房燃焼バーナーの燃焼熱を利用して、熱交換器管内の水を温水へと変換している。また燃焼された排気が、この両熱交換機の上にある、給湯燃焼装置の排気筒５および第２の燃焼装置の排気筒１０へと排気され、かつそれらの排気が、集合されて排気している。また排気が集合された箇所には燃焼排気中の特定成分の濃度を検出するひとつの燃焼異常検出装置１１があり、燃焼異常の検出をおこなう手段として用いられている。また上記給湯燃料供給比例弁３と暖房燃料供給比例弁８と給湯燃焼バーナー１と暖房燃焼バーナー６と給湯給気ファン２と暖房給気ファン７による燃焼を制御する制御部１２と給湯給気ファン２と暖房給気ファン７の空気量を可変させる回転数制御装置１３により、２組の燃焼装置を制御している。給湯および暖房の燃焼部からの排気がひとつの排気筒へと集合されて一体型となっている構成により排気される複合燃焼装置の同時燃焼作動状態において、燃焼異常検出装置１１としてＣＯセンサーがひとつしか持たない場合に、ＣＯセンサーの検出濃度があらかじめ設定した判定値を越えた場合、給湯もしくは暖房どちらが異常燃焼して、異常検出装置１１が検出したかを判断することは困難である。この場合、定められた燃焼側、本実施例では最大燃焼量の大きい給湯側を最初に異常判定と決定し、定められた側の給気ファン２の回転数を燃焼改善側に調整変更する。給湯側と暖房側の燃焼量を比較した場合、３倍の燃焼量の比率があり、排出されるＣＯは暖房側と比較して給湯側の方が多いと考えられるため、本実施例では燃焼量の大きい給湯側を最初に異常判定とし最初に燃焼改善を行う。前記内容により、単独で実行されている状態で燃焼状態を改善させる改善ステップと燃焼改善ステップがおこなわれた回数を記憶するカウンターを設けて、カウント数の大なる側の燃焼状態を異常と判定し改善させるという複雑な制御をおこなうことなく、また追い焚き用の熱交換回路の燃焼を強制的に停止させる、もしくは燃焼状態を一時的に変更させ、停止後もしくは変更後のＣＯ濃度が低減するか異常値が継続するかでどちらの燃焼が異常であるかを判別するという時間のかかる判別をおこなうことなく、燃焼を改善させることができる。
【００１８】
（実施例２）
本発明における実施例２は、構成は実施例１における構成と同じである。給湯および暖房の燃焼部からの排気がひとつの排気筒へと集合されて一体型となっている構成により排気される複合燃焼装置の同時燃焼作動状態において、燃焼異常検出装置１１としてＣＯセンサーがひとつしか持たない場合に、ＣＯセンサーの検出濃度があらかじめ設定した判定値を越えた場合、給湯もしくは暖房どちらが異常燃焼して、異常検出装置１１が検出したかを判断することは困難である。この場合、定められた燃焼側、本実施例では最大燃焼量の大きい給湯側を最初に異常判定と決定し、定められた側の給気ファン２の回転数を燃焼改善側に調整変更する。給湯側と暖房側の燃焼量を比較した場合、３倍の燃焼量の比率があり、排出されるＣＯは暖房側と比較して給湯側の方が多いと考えられるため、本実施例では燃焼量の大きい給湯側を最初に異常判定とし最初に燃焼改善を行う。給湯燃焼側を最初に異常判定と決定し、給湯側の給湯給気ファン２の回転数を燃焼改善側に調整変更することにより、燃焼を改善させ、それでも燃焼異常検出装置１１であるＣＯセンサーの検出濃度があらかじめ設定した判定値を下回らない場合にはもう片方の燃焼側である暖房燃焼側の暖房給気ファン７の回転数を燃焼改善側に調整変更することにより、定められた側である給湯側が異常でない確認ができるとともに、もう片方の燃焼側である暖房側の暖房給気ファン７の回転数を燃焼改善側に調整変更することで排気全体として確実な燃焼の改善をおこなうことができる。またそれでも燃焼異常検出装置１１であるＣＯセンサーの検出濃度があらかじめ設定した判定値を下回らず改善できない場合は、再度給湯側、暖房側と繰り返し改善を行う。
【００１９】
またこの場合は再度給湯側が改善を繰り返す、また暖房側が改善を繰り返すという繰り返し改善を行うこともできる。
【００２０】
（実施例３）
本発明における実施例３は、構成は実施例１における構成と同じである。給湯および暖房の燃焼部からの排気がひとつの排気筒へと集合されて一体型となっている構成により排気される複合燃焼装置の同時燃焼作動状態において、燃焼異常検出装置１１としてＣＯセンサーがひとつしか持たない場合に、ＣＯセンサーの検出濃度があらかじめ設定した判定値を越えた場合、給湯もしくは暖房どちらが異常燃焼して、異常検出装置１１が検出したかを判断することは困難である。この場合、定められた燃焼側、本実施例では最大燃焼量の大きい給湯側を最初に異常判定と決定し、定められた側の給気ファン２の回転数を燃焼改善側に調整変更する。給湯側と暖房側の燃焼量を比較した場合、３倍の燃焼量の比率があり、排出されるＣＯは暖房側と比較して給湯側の方が多いと考えられるため、本実施例では燃焼量の大きい給湯側を最初に異常判定とし最初に燃焼改善を行う。給湯燃焼側を最初に異常判定と決定し、給湯側の給湯給気ファン２の回転数を燃焼改善側に調整変更することにより、燃焼を改善させる。またその後、燃焼異常検出装置１１であるＣＯセンサーの検出量が高くなった場合は定められた燃焼側は正常であったと判断し、給気ファンの回転数を元の回転数に戻し、もう片方の燃焼側の給気ファンの回転数を燃焼改善側に調整変更することにより、実施例２よりさらに精度の良い確実な燃焼の改善をおこなうことができる。
【００２１】
また異常判定と仮定した給湯側は正常であると判断した場合、改善させた給湯給気ファン２の回転数は元に戻すため、実施例２と比較して暖房給気ファン７の回転数アップ率を小さくすることができ、ファンによる騒音を低くすることができる。
【００２２】
（実施例４）
本発明における実施例４は、構成は実施例１における構成と同じである。給湯および暖房の燃焼部からの排気がひとつの排気筒へと集合されて一体型となっている構成により排気される複合燃焼装置の同時燃焼作動状態において、燃焼異常検出装置１１としてＣＯセンサーがひとつしか持たない場合に、ＣＯセンサーの検出濃度があらかじめ設定した判定値を越えた場合、給湯もしくは暖房どちらが異常燃焼して、異常検出装置１１が検出したかを判断することは困難である。この場合、定められた燃焼側、本実施例では最大燃焼量の小さい暖房側の燃焼量を最小燃焼量へと可変させ、給湯側に影響のない程度の燃焼量で燃焼させ、このときに燃焼異常検出装置１１のＣＯセンサーの検出濃度があらかじめ設定した判定値から増減するかによって、どちらが異常判定かを実施例３よりも精度良く決定することができる。暖房側は給湯燃焼に影響のない程度の燃焼量のため、燃焼異常検出装置１１のＣＯセンサーの検出濃度が増えたもしくは同等の場合は、給湯側と判別することができ、減った場合は、暖房側と判断できる。また異常検出と判断された側の給気ファンの回転数を燃焼改善側に調整変更することにより、燃焼を改善させることができる。また暖房側は燃焼を停止させないため、湯温の低下を防ぐことができる。以上は従来にあった技術であるが、またその後の燃焼状態において、燃焼異常検出装置１１のＣＯセンサーの検出量が高くなった場合は、改善を行った燃焼側は正常であったと判断し、改善を行った燃焼側の給気ファンの回転数を元の回転数に戻し、もう片方の燃焼側の給気ファンの回転数を燃焼改善側に調整変更する。異常であると判断したにもかかわらず、実際には誤検知であった場合でも、本発明により、改善された側が正常であり、改善されなかった側が異常であるのかという判断を確実にできるとともに、燃焼の改善をおこなうことができる。
【００２３】
（実施例５）
本発明における実施例５は、構成は実施例１における構成と同じである。
【００２４】
燃焼を改善させる方法が、燃料が供給量可能に変更できる燃料供給比例弁により、燃料の量を比例的に増減することにより、燃焼を改善させる実施例１から５の燃焼装置である。
【００２５】
燃焼を改善させる方法が、燃料の量を比例的に増減することにより、給気ファンに負担をかけることなく、危険な燃焼状態であっても、燃料の量を下げていくことにより、より安全な燃焼状態で燃焼させ改善を行うことができる。
【００２６】
（実施例６）
本発明における実施例６は、構成は実施例１における構成と同じである。本発明の請求項６は第１および第２の燃焼部からの排気が排気筒へと集合されて排気される複合燃焼装置の同時燃焼作動状態においてひとつの燃焼異常検出装置１１の検出濃度があらかじめ設定した判定値を越えた場合、給気ファンの回転数または燃料が供給量可能に変更できる燃料供給比例弁により、燃料の量を比例的に増減することにより、燃焼改善側に調整変更することにより、燃焼を改善させその後、同時燃焼作動状態が解除され単独燃焼状態に移行された場合、給気ファンの回転数または燃料が供給量可能に変更できる燃料供給比例弁により、燃料の量を元の状態にリセットさせる実施例１から５の燃焼装置である。
【００２７】
同時燃焼作動状態の場合は判別が誤検知して、逆の燃焼部を異常と判断とした場合、もしくは異常燃焼と誤検知し給気ファンが増加を繰り返した状態において、給気ファンの回転数または、燃料の量が適切でなく燃焼する可能性があり、その状態で繰り返し燃焼作動すると危険であるため、確実に判定できる単独燃焼時のみ異常判断の確定があり、同時燃焼作動状態においては改善はするが、単独燃焼状態に移行された場合、給気ファンの回転数または燃料が供給量可能に変更できる燃料供給比例弁により燃料の量を元の状態にリセットすることにより、上記実施例１から６の発明に関してさらに安全に動作させることができる。
【００２８】
また同時燃焼作動状態において、同じ改善が数回繰り返し発生した場合は、燃焼異常検知が正しく作動していると判断し、確定させることができる。
【００２９】
【発明の効果】
以上のように本発明によれば、次のような効果を有する。
【００３０】
（１）給湯および暖房の燃焼部からの排気がひとつの排気筒へと集合されて一体型となっている構成により排気される複合燃焼装置の同時燃焼作動状態において、燃焼異常検出装置をひとつしか持たない場合に、おいて従来の複雑な制御をおこなうことなく、簡単に燃焼改善を行うことができる。
【００３１】
また燃焼を強制的に停止させる、もしくは燃焼状態を一時的に変更させ、停止後もしくは変更後のＣＯ濃度が低減するか異常値が継続するかでどちらの燃焼が異常であるかを判別するという時間のかかる判別をおこなうことがなく、素早く燃焼を改善させることができる。
【００３２】
（２）（１）の効果に対して、繰り返し交互に燃焼を行うことにより、定められた改善側が異常でない確認ができるとともに、もう片方の燃焼側をさらに燃焼改善側に調整変更することで排気全体として確実な燃焼の改善をおこなうことができる。またそれでも燃焼異常検出装置が判定値を下回らず改善できない場合は、再度繰り返し改善を行うことによりさらに確実な燃焼の改善をおこなうことができる。
【００３３】
（３）（２）の効果に対して給気ファンの回転数を元の回転数に戻し、もう片方の燃焼側の給気ファンの回転数を燃焼改善側に調整変更することにより、さらに精度の良い確実な燃焼の改善をおこなうことができるとともに誤検知を防止できる。
【００３４】
また異常判定と仮定した側は正常であると判断した場合、一度改善させた給気ファンの回転数は元に戻すため、（２）の効果と比較して給気ファンの回転数アップ率を小さくすることができ、ファンによる騒音を低くすることができる。
【００３５】
（４）（３）の効果に対して、定められた燃焼側、最大燃焼量の小さい暖房側の燃焼量を最小燃焼量へと可変させ、もう一方の燃焼側に影響のない程度の燃焼量で燃焼させ判定値から増減するかによって、（３）よりも精度良く、どちらが異常判定かを決定することができる。また燃焼を停止させないため、湯温の低下を防ぐことができる。またその後の燃焼状態において、燃焼異常検出装置が高くなった場合でも、改善を行った燃焼側は正常であったと判断し、改善を行った燃焼側の給気ファンの回転数を元の回転数に戻し、もう片方の燃焼側の給気ファンの回転数を燃焼改善側に調整変更する。異常であると判断したにもかかわらず、実際には誤検知であった場合でも、本発明により、改善された側が正常であり、改善されなかった側が異常であるのかという判断を確実にできるとともに誤検知を防止でき、燃焼の改善をおこなうことができる。
【００３６】
（５）燃焼を改善させる方法が、燃料の量を比例的に増減することにより、給気ファンに負担をかけることなく、危険な燃焼状態であっても、燃料の量を下げていくことにより、より安全な燃焼状態で燃焼させ改善を行うことができる。
【００３７】
（６）同時燃焼作動状態の場合は判別が誤検知して、逆の燃焼部を異常と判断とした場合、もしくは異常燃焼と誤検知し給気ファンが増加を繰り返した状態において、給気ファンの回転数または、燃料の量が適切でなく燃焼する可能性があり、その状態で繰り返し燃焼作動すると危険であるため、確実に判定できる単独燃焼時のみ異常判断の確定があり、同時燃焼作動状態においては改善はするが、単独燃焼状態に移行された場合、給気ファンの回転数または燃料が供給量可能に変更できる燃料供給比例弁により燃料の量を元の状態にリセットすることにより、さらに安全に動作させることができる。
【００３８】
また同時燃焼作動状態において、同じ改善が数回繰り返し発生した場合は、燃焼異常検知が正しく作動していると判断し、確定させることにより繰り返し同時燃焼を行った場合でも誤検知が少なく確定することができる。
【図面の簡単な説明】
【図１】本発明の一実施例における燃焼装置の構成図
【符号の説明】
１  第１の燃焼バーナー
２  第１の給気ファン
３  第１の燃料供給比例弁
４  第１の熱交換器
５  第１の燃焼装置の排気筒
６  第２の燃焼バーナー
７  第２の給気ファン
８  第２の燃料供給比例弁
９  第２の熱交換器
１０  第２の燃焼装置の排気筒
１１  燃焼異常検出装置
１２  制御部
１３  回転数制御装置
【図１】
2005009744.tif 000003